(57)【要約】  【課題】家屋の壁面或いは柱の側面等を利用して壁面と平行な方向に、しかも床面に対し任意所望の角度に傾斜させて手すり材を設置することに好適な自在ブラケットを提供する。  【解決手段】手すり支持部材１と、取付用のベース部材２とからなる。手すり支持部材１は、手すり材ｂを支持するソケット部３と、ソケット部３からその軸線と直角方向へ延びる軸部５とで構成されている。ベース部材２は、前記手すり支持部材１の軸部５を挿入するほぼ同径の軸孔８を備え、軸孔８を形成した主部９の低部両側に取付け部１１が設けられ、該取付け部１１にネジ誘導孔１２が設けられている。ベース部材２は取付け部１１のネジ誘導孔１２へ通した木ねじ１４を前記設置面へねじ込んで固定し、手すり支持部材１はその軸部５を前記ベース部材２の軸孔８へ突起７と溝１５の位置を整合させて差し込み、ソケット部３を手すり設置方向に設置する。【選択図】  図１
2006089944.tif 000002
【特許請求の範囲】
【請求項１】
手すり支持部材と、取付用のベース部材とからなり、
手すり支持部材は、手すり材を支持するソケット部と、ソケット部からその軸線と直角方向へ延びる軸部とで構成され、前記軸部の上端に回転座面が段差面状に形成され、前記回転座面から一定の距離を隔てた位置の軸部外周面に突起が設けられていること、
ベース部材は、前記手すり支持部材の軸部を挿入するほぼ同径の軸孔を備え、軸孔を形成した主部の低部両側に壁又は柱等の設置面へ一様に接する着座面を形成した取付け部が設けられ、取付け部には前記着座面に向かって貫通するネジ誘導孔が設けられ、前記軸孔の内周面には前記手すり支持部材の軸部に設けられた前記突起を軸線方向へ通す溝、及び軸部上端の回転座面が軸孔の上端面へ着座すると前記突起が到達する深さ位置に前記溝を通過した前記突起の回転を許容し抜け止め作用を奏する段差面が円周方向に形成されていること、
ベース部材は取付け部の着座面を壁又は柱等の設置面へ密着させ、ネジ誘導孔へ通した固定具を前記設置面へ固定し、手すり支持部材はその軸部を前記ベース部材の軸孔へ突起と溝の位置を整合させて差し込み、回転座面が軸孔の上端面へ着座した段階で回転させ軸部の突起を段差面へ掛け止めてソケット部を手すり設置方向の角度に設置することを特徴とする、手すり設置用の自在ブラケット。
【請求項２】
手すり支持部材と、取付用のベース部材とからなり、
手すり支持部材は、手すり材を支持するソケット部と、ソケット部からその軸線と直角方向へ延びる軸部とで構成され、前記軸部の上端に回転座面が段差面状に形成され、軸部には前記回転座面から一定の距離を隔てた位置に後述する軸孔の突起が通過する深さ及び幅寸の環状溝が円周方向に設けられ、前記環状溝より先側の軸部分に前記突起を通す縦溝が軸線方向に設けられていること、
ベース部材は、前記手すり支持部材の軸部を挿入するほぼ同径の軸孔を備え、軸孔を形成した主部の低部両側に壁又は柱等の設置面へ一様に接する着座面を形成した取付け部が設けられ、取付け部には前記着座面に向かって貫通するネジ誘導孔が設けられ、前記軸孔の内周面には前記軸部上端の回転座面が軸孔の上端面へ着座すると前記環状溝と整合する深さ位置に手すり支持部材の軸部における先側部分の縦溝を軸線方向へ通過し、且つ環状溝の円周方向へ移動可能な突起が設けられていること、
ベース部材は取付け部の着座面を壁又は柱等の設置面へ密着させ、ネジ誘導孔へ通した固定具を前記設置面へ固定し、手すり支持部材はその軸部を前記ベース部材の軸孔へ突起と溝の位置を整合させて差し込み、回転座面が軸孔の上端面へ着座した段階で回転させ軸孔の突起を環状溝へ進入させて掛け止めソケット部を手すり設置方向の角度に設置することを特徴とする、手すり設置用の自在ブラケット。
【請求項３】
手すり支持部材と、取付用のベース部材とからなり、
手すり支持部材は、手すり材を支持するソケット部と、ソケット部からその軸線と直角方向へ延びる軸部とで構成され、前記軸部の上端に回転座面が段差面状に形成されていること、
ベース部材は、前記手すり支持部材の軸部を挿入するほぼ同径の軸孔を備え、軸孔を形成した主部の低部両側に壁又は柱等の設置面へ一様に接する着座面を形成した取付け部が設けられ、取付け部には前記着座面に向かって貫通するネジ誘導孔が設けられ、前記主部には前記軸孔に向かって貫通するネジ孔が設けられていること、
ベース部材は取付け部の着座面を壁又は柱等の設置面へ密着させ、ネジ誘導孔へ通した固定具を前記設置面へ固定し、手すり支持部材はその軸部を前記ベース部材の軸孔へ差し込み、ソケット部を手すり設置方向の角度に設置し、主部のネジ孔へ止めネジをねじ込み軸部を固定することを特徴とする、手すり設置用の自在ブラケット。
【請求項４】
ベース部材のネジ誘導孔は、着座面に対し非直角で、手すり支持部材の軸線と略平行な方向に一定の角度傾斜して設けられていることを特徴とする、請求項１〜３のいずれか一に記載した手すり設置用の自在ブラケット。
【請求項５】
主部に、その軸孔に向かって貫通するネジ孔が設けられており、同軸孔へ差し込まれた手すり支持部材の軸部は、ソケット部を手すり設置方向の角度に設置して、主部の前記ネジ孔へねじ込んだ止めネジで固定することを特徴とする、請求項１又は２に記載した手すり設置用の自在ブラケット。
【請求項６】
手すり支持部材のソケット部の軸線に対する、軸部に設けられた突起の向き、及びベース部材の着座面を設置面へ固定した姿勢における軸孔の溝の位置は、手すり支持部材のソケット部を手すり設置方向に回転した際に整合せず安全な回転角を形成する配置とされていることを特徴とする、請求項１に記載した手すり設置用の自在ブラケット。
【請求項７】
手すり支持部材のソケット部の軸線に対する、軸部の先側部分に設けられた溝の向き、及びベース部材の着座面を設置面へ固定した姿勢における軸孔の突起の位置は、手すり支持部材のソケット部を手すり設置方向に回転した際に整合せず安全な回転角を形成する配置とされていることを特徴とする、請求項２に記載した手すり設置用の自在ブラケット。
【請求項８】
ベース部材の着座面の形状、大きさは、壁面から露出した柱の露出側面へ一様に接する形状、大きさに形成されていることを特徴とする、請求項１〜７のいずれか一に記載した手すり設置用の自在ブラケット。
【発明の詳細な説明】
【技術分野】
【０００１】
この発明は、手すり材を、主として家屋の壁面或いは柱の側面等を利用して壁面と平行な方向に、しかも床面に対し任意所望の角度に傾斜させて設置することに好適な自在ブラケットの技術分野に属する。
【背景技術】
【０００２】
高齢者や要介護者などの屋内或いは屋外の歩行を助ける手すり設置用のブラケットは、既に各種各様のものが開発され実用に供されている。
例えば下記の特許文献１に開示された手すり用ブラケットは、手すり材を自由な角度で支持可能としたもので、壁面等へネジ止め等の手段で固定される固定板（ベース部材）と、手すり材を支持する支持板とからなり、固定板と支持板とをピンジョイントで回転可能に連結した構成とされている。
【０００３】
特許文献２に開示された手すり材取付用ブラケットは、壁面等へ密着させる着座面を備えネジ止め等の手段で固定する取付部と、手すり材を支持するソケット部とをアルミダイキャストで一体成形した構成とされている。
特許文献３に開示された手すり材取付用ブラケットは、手すり材を壁面と平行に、且つ床面に対して自由な傾斜角度で支持可能に構成したもので、壁面等へネジ止め等の手段で固定される固定板と、手すり材を支持する支持板とからなり、支持板を固定板に対して回転可能に連結した構成である。
【０００４】
【特許文献１】特開平７−２１７１３９号公報
【特許文献２】意匠登録第１１２６９７６号公報（平成１３年１１月２６日発行）
【特許文献３】特開２００３−９７００７号公報
【発明の開示】
【発明が解決しようとする課題】
【０００５】
上記の特許文献１〜３に開示された手すり用ブラケットは、それぞれが固有の課題を解決した構成であり、特徴的な作用、効果を奏するものと認められる。
しかしながら、敢えて言えば、特許文献１に開示された手すり用ブラケットは、固定板と支持板とのピンジョイント部分が緩んで軟弱になりがちと認められる。そのため支持した手すりがぐらぐらと揺れ動き易く、この手すりに掴まって歩く人の安心感、信頼感を得難く、歩行を助ける実効性が低いように認められる。
【０００６】
特許文献２に開示された手すり材取付用ブラケットは、手すり材の支持方向や角度の自在性を持たない構成であるから、使い勝手が悪く、適用範囲が狭い。
特許文献３に開示された手すり材取付用ブラケットは、固定板と、手すり材を支持する支持板とを回転可能に連結した構造が、特許文献１のブラケットよりも頑丈な構成と認められる。しかし、固定板および支持板の構造、並びに両者の連結構造がいかにも複雑である。また、構成部品の点数が多いので、製作に手数が掛かり、高価なものと認められる。
【０００７】
本発明の目的は、構成が簡単で、構成部品の点数が少なく、製作が容易であり、安価に製造できる、手すり設置用の自在ブラケットを提供することである。
本発明の次の目的は、手すり支持部材の軸部と、ベース部材の軸孔の構成とを共通させるかぎり、ベース部材を共通に使用して様々なソケット形状の手すり支持部材を必要に応じて選択し使用することができ、使用の自由度、適用範囲が広い、手すり設置用の自在ブラケットを提供することである。
【０００８】
本発明の更なる目的は、設置対象が壁や柱である場合はもとより、特には壁面から幅狭くせり出した柱の露出側面へも設置可能であり、このような柱の露出側面へ設置することにより手すりが壁面から室内側へ突き出す寸法の縮小化を達成できる、手すり設置用の自在ブラケットを提供することである。
本発明は、手すり材を壁面と平行な方向に、しかも床面に対して任意所望の角度に傾斜させて設置することができ、手すり設置計画の自由度が高い、手すり設置用の自在ブラケットを提供することも目的としている。
【課題を解決するための手段】
【０００９】
上記した従来技術の課題を解決するための手段として、請求項１に記載した発明に係る手すり設置用の自在ブラケットは、手すり支持部材１と、取付用のベース部材２とからなり、
手すり支持部材１は、手すり材ｂを支持するソケット部３と、ソケット部３からその軸線と直角方向へ延びる軸部５とで構成され、前記軸部５の上端に回転座面６が段差面状に形成され、前記回転座面６から一定の距離を隔てた位置の軸部外周面に突起７が設けられていること、
ベース部材２は、前記手すり支持部材１の軸部５を挿入するほぼ同径の軸孔８を備え、軸孔８を形成した主部９の低部両側に壁ｃ又は柱ｄ等の設置面へ一様に接する着座面１０を形成した取付け部１１が設けられ、取付け部１１には前記着座面１０に向かって貫通するネジ誘導孔１２が設けられ、前記軸孔８の内周面には前記手すり支持部材１の軸部５に設けられた前記突起７を軸線方向へ通す溝１５、及び軸部上端の回転座面６が軸孔８の上端面１６へ着座すると前記突起７が到達する深さ位置に、前記溝１５を通過した前記突起７の回転を許容し抜け止め作用を奏する段差面１７が円周方向に形成されていること、
ベース部材２は取付け部１１の着座面１０を壁ｃ又は柱ｄ等の設置面へ密着させ、ネジ誘導孔１２へ通した木ねじ１４等の固定具を前記設置面へねじ込んで固定し、手すり支持部材１はその軸部５を前記ベース部材２の軸孔８へ突起７と溝１５の位置を整合させて差し込み、回転座面６が軸孔８の上端面１６へ着座した段階で回転させ軸部５の突起７を段差面１７へ掛け止めてソケット部３を手すり設置方向に設置することを特徴とする。
【００１０】
請求項２に記載した発明に係る手すり設置用自在ブラケットも、手すり支持部材１と、取付用のベース部材２とからなり、
手すり支持部材１は、手すり材ｂを支持するソケット部３と、ソケット部３からその軸線と直角方向へ延びる軸部５とで構成され、前記軸部５の上端に回転座面６が段差面状に形成され、軸部５には前記回転座面６から一定の距離を隔てた位置に後述する軸孔８の突起７’が通過する深さ及び幅寸の環状溝２０が円周方向に設けられ、前記環状溝２０より先側の軸部分２１に前記突起７’を通す縦溝２２が軸線方向に設けられていること、
ベース部材２は、前記手すり支持部材１の軸部５を挿入するほぼ同径の軸孔８を備え、軸孔８を形成した主部９の低部両側に壁ｃ又は柱ｄ等の設置面へ一様に接する着座面１０を形成した取付け部１１が設けられ、取付け部１１には前記着座面１０に向かって貫通するネジ誘導孔１２が設けられ、前記軸孔８の内周面には前記軸部上端の回転座面６が軸孔８の上端面１６へ着座すると前記環状溝２０と整合する深さ位置に手すり支持部材１の軸部５における先側部分２１の縦溝２２を軸線方向へ通過し、且つ環状溝２０の円周方向へ移動する突起７’が設けられていること、
ベース部材２は取付け部１１の着座面１０を壁ｃ又は柱ｄ等の設置面へ密着させ、ネジ誘導孔１２へ通した木ねじ１４等の固定具を前記設置面へねじ込んで固定し、手すり支持部材１はその軸部５を前記ベース部材２の軸孔８へ突起７’と溝２２の位置を整合させて差し込み、回転座面６が軸孔８の上端面１６へ着座した段階で回転させることにより軸孔８の突起７’を環状溝２０へ進入させ掛け止めてソケット部３を手すり設置方向に設置することを特徴とする。
【００１１】
請求項３に記載した発明に係る手すり設置用の自在ブラケットは、やはり手すり支持部材１と、取付用のベース部材２とからなり、
手すり支持部材１は、手すり材ｂを支持するソケット部３と、ソケット部３からその軸線と直角方向へ延びる軸部５とで構成され、前記軸部５の上端に回転座面６が段差面状に形成されていること、
ベース部材２は、前記手すり支持部材１の軸部５を挿入するほぼ同径の軸孔８を備え、軸孔８を形成した主部９の低部両側に壁ｃ又は柱ｄ等の設置面へ一様に接する着座面１０を形成した取付け部１１が設けられ、取付け部１１には前記着座面１０に向かって貫通するネジ誘導孔１２が設けられ、前記主部９には前記軸孔８に向かって貫通するネジ孔３０が設けられていること、
ベース部材２は取付け部１１の着座面１０を壁ｃ又は柱ｄ等の設置面へ密着させ、ネジ誘導孔１２へ通した木ねじ１４等の固定具を前記設置面へねじ込んで固定し、手すり支持部材１はその軸部５を前記ベース部材２の軸孔８へ差し込み、ソケット部３を手すり設置方向に設置して、主部９のネジ孔３０へ止めネジ３１をねじ込み軸部５を固定することを特徴とする。
【００１２】
請求項４に記載した発明は、請求項１〜３のいずれか一に記載した手すり設置用の自在ブラケットにおいて、
ベース部材２のネジ誘導孔１２は、着座面１０に対し非直角で、手すり支持部材１の軸線ｅと略平行な方向に一定の角度傾斜して設けられていることを特徴とする。
【００１３】
請求項５に記載した発明は、請求項１又は２に記載した手すり設置用の自在ブラケットにおいて、
主部９に、その軸孔８に向かって貫通するネジ孔が設けられており、同軸孔８へ差し込まれた手すり支持部材１の軸部５は、ソケット部３を手すり設置方向の角度に設置して、主部９の前記ネジ孔へねじ込んだ止めネジで固定することを特徴とする。
【００１４】
請求項６に記載した発明は、請求項１に記載した手すり設置用の自在ブラケットにおいて、
手すり支持部材１のソケット部３の軸線ｅに対する、軸部５に設けられた突起７の向き、及びベース部材２の着座面１０を設置面へ固定した姿勢における軸孔８の溝１５の位置は、手すり支持部材１のソケット部３を手すり設置方向へ回転した際に整合せず安全な回転角αを形成する配置とされていることを特徴とする。
【００１５】
請求項７に記載した発明は、請求項２に記載した手すり設置用の自在ブラケットにおいて、
手すり支持部材１のソケット部３の軸線ｅに対する、軸部５の先側部分２１に設けられた溝２２の向き、及びベース部材２の着座面１０を設置面へ固定した姿勢における軸孔８の突起７’の位置は、手すり支持部材１のソケット部３を手すり設置方向に回転した際に整合せず安全な回転角αを形成する配置とされていることを特徴とする。
【００１６】
請求項８に記載した発明は、請求項１〜７のいずれか一に記載した手すり設置用の自在ブラケットにおいて、
ベース部材２の着座面１０の形状、大きさは、壁面から露出した柱ｄの露出側面ｄ’へ一様に接する形状、大きさに形成されていることを特徴とする。
【発明の効果】
【００１７】
請求項１〜３に記載した発明に係る手すり設置用の自在ブラケットはいずれも、手すり支持部材１の軸部５と、ベース部材２の軸孔８の構成を共通にするかぎり、手すり支持部材１の特にソケット部３の形態や構造、或いは口径などが任意所望の構成のものを、必要に応じて選択し使用することができる。つまり、ベース部材２を共通に使用して、手すり支持部材１を選択し組合せ使用することが自由なので、使用上の自由度に優れ、ブラケットの構造形式をタイプ別にそれぞれ多数用意する必要がない。したがって、ブラケットの在庫数量の半減が可能となり、在庫管理が容易となる。
例えば手すりの設置後に、強度面の検討或いは使い勝手の検討から手すり外径を大きいもの又は小さいものに変更したい場合には、ベース部材２は取り付けたままにして、手すり支持部材１のみをソケット部３の口径や構造形式が異なる適正なものと交換するだけで、容易に迅速に安価に対処することができる。つまり、工事をはじめからやり直す必要が無いし、やり直しの跡が残る見苦しさも発生しない。
【００１８】
請求項１〜３の発明に係る手すり設置用の自在ブラケットは、ソケット部３の向きを回転してかなり自由な角度に設置できる。また、請求項３の発明に係る手すり設置用の自在ブラケットは、手すりの設置対象面（壁面等）から突き出るソケット部３の突き出し寸法（ひいては手すりの突き出し寸法でもある。）の出入り調整が可能である。したがって、これらのブラケットを使用すると、手すりの設置態様（例えば床面に対する傾斜角度や壁面からの突き出し寸法など）をかなり自由に設計、施工できる。
【００１９】
請求項８に記載した発明の場合、ベース部材２の着座面１０は、例えば壁ｃや柱ｄの側面への取り付けはもとよりのこと、壁面からせり出した柱ｄの狭い露出側面ｄ’（＝図５Ａを参照）へも十分強固に取り付け固定することができ、柱ｄの前側面へ取り付ける場合に比して手すりの位置を少しでも引っ込めて手すりが室内側の障害物になる度合いを低減する設計、施工の自由度があり、手すりの設置計画の自由度に寄与する。因みに壁面へベース部材２を固定する場合、壁面の裏に棧木等が存在することが前提条件となり場所を選ぶ必要がある。
【発明を実施するための最良の形態】
【００２０】
手すり支持部材１と、取付用のベース部材２とで構成する。
手すり支持部材１は、手すり材ｂを支持するソケット部３と、ソケット部３からその軸線と直角方向へ延びる軸部５とで構成する。前記軸部５の上端に回転座面６を段差面状に形成し、前記回転座面６から一定の距離を隔てた位置の軸部外周面に突起７を設ける（請求項１）。あるいは逆に、軸部５には前記回転座面６から一定の距離を隔てた位置に後述する軸孔８の突起７’が通過する深さ及び幅寸の環状溝２０を円周方向に設け、前記環状溝２０より先側の軸部分２１に前記突起７’を通す縦溝２２を軸線方向に設ける（請求項２）。
ベース部材２は、前記手すり支持部材１の軸部５を挿入するほぼ同径の軸孔８を備え、軸孔８を形成した主部９の低部両側に壁ｃ又は柱ｄの側面へ一様に接する着座面１０を形成した取付け部１１を設ける。取付け部１１には前記着座面１０に向かって貫通するネジ誘導孔１２を設ける。前記軸孔８の内周面に、前記手すり支持部材１の軸部５に設けた前記突起７を軸線方向へ通す溝１５、及び軸部上端の回転座面６が軸孔８の上端面１６へ着座すると前記突起７が到達する深さ位置に前記溝１５を通過した突起７の回転を許容し抜け止め作用を奏する段差面１７を円周方に形成する（請求項１）。或いは軸孔８の内周面に手すり支持部材１の軸部５における先側部分２１の縦溝２２を軸線方向へ通過し、軸部上端の回転座面６が軸孔８の上端面１６へ着座すると前記環状溝２０と整合する深さ位置に環状溝２０の円周方向へ移動可能な突起を設ける（請求項２）。
【００２１】
上記ベース部材２は、取付け部１１の着座面１０を壁ｃ又は柱ｄ等の設置面へ密着させ、ネジ誘導孔１２へ通した木ねじ１４等の固定具を前記接地面へねじ込んで固定する。手すり支持部材１は、その軸部５を、前記ベース部材２の軸孔８へ突起７又は７’と溝１５又は縦溝２２の位置を整合させて差し込み、回転座面６が軸孔８の上端面１６へ着座した段階で回転させ、軸部５の突起７を段差面１７へ掛け止める（請求項１）。或いは軸孔８の突起７’を環状溝２０へ進入させて掛け止め（請求項２）、ソケット部３を手すり設置方向の角度に設置する。
【００２２】
もっとも、手すり支持部材１の軸部５は突起も溝も有しない単純な棒状体とし、他方、ベース部材２の軸孔８も突起や溝を有しない単純な孔とし、主部９に前記軸孔８に向かって貫通するネジ孔３０を設け、手すり支持部材１の軸部５をベース部材２の軸孔８へ差し込み、ソケット部３を手すり設置方向の角度に設置して、主部９のネジ孔３０へ止めネジ３１をねじ込み軸部５を固定する（請求項３）構成でも実施する。
【実施例１】
【００２３】
以下に、本発明を図示した実施例に基づいて説明する。
図１〜図４は、請求項１に記載した発明１に係る手すり設置用自在ブラケットの実施例を示す。
このブラケットは、図１に示したように、手すり支持部材１と、壁面等へ取付用のベース部材２とからなり、各々は例えばアルミニュームのダイキャスト製品として製作されている。この点は以下の各実施例も同様である。
本実施例の手すり支持部材１は、手すり材ｂ（図５Ａ）を支持するソケット部３と、ソケット部３の後端部（開口とは反対側部分）から同ソケット３の軸線ｅと直角方向へ、具体的には図３のように後方下部へ約６０°の傾斜状態に延びる絞り尾部４の先端部にソケット部３の軸線ｅと直角方向に突き出る軸部５とで構成されている。前記軸部５の上端の絞り尾部４との境界部位には、やや大径の回転座面６がほぼ水平な円形の段差面状に形成されている。前記の回転座面６から軸方向に一定の距離を隔てた位置の軸部外周面に、図示例の場合は、矩形断面の突起７が１８０°対称な配置に２個設けられている。
【００２４】
一方、ベース部材２は、上記手すり支持部材１の軸部５を挿入するほぼ同径の軸孔８を備えている。前記軸孔８を形成した主部９は、図示例の場合、下方が太く上方が細い円錐形状に形成され、その低部両側に壁ｃ又は柱ｄの側面、及び特には図５Ａのように壁面ｃから狭幅に露出した柱ｄの露出側面ｄ’へ全面一様に接する形状、大きさの着座面１０を形成した取付け部１１が、左右対称形状に設けられている（請求項８記載の発明）。前記取付け部１１は、図５Ｃが分かりやすいように、背面の着座面１０を垂直面にすると、前面側は上向きに少し傾斜した斜面をなす形状であり、下縁部が幅厚に形成されている。この取付け部１１には、前記着座面１０に向かって貫通するネジ誘導孔１２が１個ずつ設けられている。
更に具体的に説明すると、図５Ｂの拡大図に示したように、ベース部材２のネジ誘導孔１２は、着座面１０に対し非直角であって、手すり支持部材１のソケット部３の軸線ｅと略平行な方向に一定の角度傾斜して設けられている。その意味は、図５Ａのように床面に対し所定の角度傾斜して設置される手すり材ｂの強固な支持、とりわけネジ誘導孔１２を通じて柱ｄへねじ込んだ木ねじ１４によるベース部材２の支持・固定が最も安定で効果の良い状態を実現する構成とされている（請求項４に記載した発明）。
【００２５】
ベース部材２の上記軸孔８の内周面には、上記手すり支持部材１の軸部５に設けられた突起７を軸線方向へ通す縦溝１５が形成されている。また、軸部５の上端の回転座面６が軸孔８の上端面１６へ図３のように着座すると突起７が到達する深さ位置に、前記溝１５を通過した突起７が回転することを許容し、且つ抜け止め作用を奏する円周方向の段差面１７が形成されている（図３と図７を参照）。段差面１７より下方はそのまま大径の貫通孔に形成されている。
【００２６】
要するに本実施例のブラケットａの使用法としては、先ずベース部材２を、手すりの設置対象である図５Ａに示す柱ｄの露出側面ｄ’に対して取付け部１１の着座面１０を図５Ｂ及び図５Ｃのように密着させ、ネジ誘導孔１２へ通した固定具としての木ねじ１４を前記柱ｄへねじ込んで固定する。本実施例のベース部材２は、取付け部１１および着座面１０を、壁面から幅狭く露出した柱ｄの露出側面ｄ’へ全面一様に接する大きさ、形状に可及的に小さく設けており、柱ｄの露出側面ｄ’へ十分強固に固定できる。したがって、柱ｄの前面へ取り付ける場合に比して、壁面から手すり材ｂが突き出る寸法を縮小化できる。勿論、ベース部材２は、図５Ｃに例示したように、壁面ｃ或いは柱ｄの前面へも取り付け固定できるのであり、手すりの設置場所を壁ｃや柱ｄの側面など多様に選択して使用できる便利さ、使い勝手の良さがある。固定具としては前記木ねじ１４が代表的であるが、釘類やセルフタップビスなどを使用することもできる。この点は以下の各実施例にも共通する。
【００２７】
一方、手すり支持部材１は、その軸部５を前記ベース部材２の軸孔８へその突起７と縦溝１５の位置とを整合させて差し込み、回転座面６が軸孔８の上端面１６へ突き当たり着座した段階で回転させることにより、軸部５の突起７を段差面１７へ掛け止めて抜け止めが行われる。そして、前記抜け止め状態でソケット部３を手すり材ｂの設置方向の角度に設置（又は設定）して使用する。したがって、外観意匠はシンプルでスマートであり、従来技術のように、連結箇所にボルトやピンが露出する見栄えの悪さはない（図２参照）。
手すり支持部材１のソケット部３は、軸部５の突起７が、ベース部材２の軸孔８における溝１５の位置から段差面１７へ移動して掛け止められ抜け止め作用が奏されている角度範囲（図４の角度α）であるかぎり、自由に任意所望の手すり設置角度に設定して使用することができる。
【００２８】
上記のような使用態様を前提として、請求項６に記載した発明では、手すり支持部材１の軸部５の突起７が、例えば図１に示したように、ソケット部３の軸線ｅを平面的に見た位置関係として約９０°隔てた方向に１８０°対称な配置で２個（但し、１個でも可）設けられている。一方、ベース部材２の軸孔８における縦溝１５を平面的に見た位置は、図４に矢印Ｆで示した手すり設置方向と同一の向きに設けられている。したがって、手すり支持部材１のソケット部３は、手すり材ｂの設置方向（矢印Ｆ）を中心として約９０°の角度範囲αでは、必ず軸部５の突起７が、ベース部材２の軸孔８における段差面１７による抜け止め作用を受けて安全に使用できる角度範囲として使用可能であり、手すり設置角度の自由度が高い。
【００２９】
本実施例のブラケットａを用いて手すり材ｂを設置するには、図５Ａ〜Ｄに例示したように、先ずベース部材２の着座面１０を設置面へ密着させ木ねじ１４で固定する。このベース部材２の軸孔８へ、手すり支持部材１の軸部５を差し込み回転して、突起７がベース部材２の軸孔８における段差面１７で抜け止め作用を受ける状態とし、ソケット部３を手すり設置方向の角度に設置する。前記のようにして２個のブラケットａ、ａを設置し、これら２個のブラケットａ、ａの有効間隔よりも少し短めの手すり材ｂの両端部を交互に各ソケット部３へ嵌め込み略等分の長さ支持させる。そして、各ソケット部３の外筒部に予め設けてあるネジ孔１８へ止めネジ１９をねじ込み、各ソケット部３と手すり材ｂとを強固に結合する。
【００３０】
本実施例において、手すり支持部材１の軸部５の突起７を矩形断面に設けた理由は、上述したように、突起７を縦溝１５へ通過させ、更に段差面１７の方向へ回転させて抜け止めを行う上で効率のよい断面形状という意味である。したがって、突起７を矩形断面以外の例えば丸断面等に設けた構成で実施しても良い。
【実施例２】
【００３１】
図６は、手すり支持部材１’のソケット部３’の形態が異なる実施例を示す。即ち、上記図１の実施例１における手すり支持部材１のソケット部３は、開口とは反対側の後端側が絞り尾部４により完全に閉鎖された片開口の形態（図３も参照）であるが、本実施例２のソケット部３’は、完全に貫通した中空円筒形状であり、その円筒外壁からソケット部３’の軸線と直角方向へ延びる軸部５が設けられている。従って、本実施例のブラケットは、長い手すり材ｂの中間部を支持する部材として便利に使用できる。
本実施例のブラケットに使用するベース部材２の構成は、上記実施例１と同一の構成であり、要するにベース部材２には互換性があり、共通に使用できる構成である。
ソケット部の形状、構造としては、Ｃ字形状に一部開放された形状でも良いし、或いは非円形の例えば多角形状等であってもよい。
【実施例３】
【００３２】
次に、図７は、請求項２に記載した発明２に係る手すり設置用自在ブラケットの実施例を示している。
このブラケットの構成の多くは、上記実施例１のブラケットと共通するので、共通部分の説明は省略する場合があることを前置きして、以下の説明を行う。
本実施例のブラケットも、手すり支持部材１と、取付用のベース部材２とからなる。各々はやはりアルミニュームのダイキャスト製品として製作されている。
手すり支持部材１は、実施例１のものとほぼ同じ形状で、手すり材ｂを支持するソケット部３と、ソケット部３の後端部からソケット部３の軸線と直角方向へ傾斜状態に延びる絞り尾部４、及びその先端にソケット部３の軸線と直角方向に突き出された軸部５とで構成され、軸部５の上端に回転座面６が垂直な段差面状に形成されている。
【００３３】
ベース部材２も、実施例１のものとほぼ同じ形状であり、上記手すり支持部材１の軸部５を挿入するほぼ同径の軸孔８を備えている。軸孔８を形成した主部９の低部両側に図５の壁ｃ又は柱ｄ等の設置面へ全面一様に接する着座面１０を形成した取付け部１１が設けられ、この取付け部１１には前記着座面１０に向かって貫通するネジ誘導孔１２が設けられている。
【００３４】
本発明２の特徴は、ベース部材２の軸孔８の内周面に、突起７’が設けられていることである。逆に、上記手すり支持部材１の軸部５には、その上端の回転座面６が軸孔８の上端面１６へ突き当たり着座すると前記軸孔８の突起７’と整合する位置に環状溝２０が設けられている。環状溝２０は、前記突起７’が通過する幅寸と深さで円周方向に設けられている。そして、前記環状溝２０より先側のフランジ形状をなす軸部分２１には、前記突起７’を軸線方向に通す縦溝２２が設けられている。
【００３５】
本実施例の場合も、ベース部材２は、取付け部１１の着座面１０を壁ｃ又は柱ｄ等の設置面へ密着させ、ネジ誘導孔１２へ通した木ねじ等の固定具を前記設置面へねじ込むなどして強く固定する。一方、手すり支持部材１は、その軸部５を前記ベース部材２の軸孔８へ突起７’と縦溝２２の位置とを整合させて差し込み、回転座面６が軸孔８の上端面１６へ着座した段階で回転させることにより、軸孔８の突起７’を環状溝２０へ進入させて掛け止め、ソケット部３を手すり設置方向の角度に設置する。
【実施例４】
【００３６】
図８は、請求項３に記載した発明３に係る手すり設置用自在ブラケットの実施例を示している。このブラケットも構成の多くが、上記実施例１のブラケットと共通するので、共通部分の説明は省略する場合があることを前置きして、以下の説明を行う。
本実施例のブラケットも、手すり支持部材１と、取付用のベース部材２とからなる。各々はやはりアルミニュームのダイキャスト製品として製作されている。
【００３７】
本実施例の手すり支持部材１も、手すり材を支持するソケット部３と、ソケット部３の軸線と直角方向へ延びる軸部５とで構成され、軸部５の上端に回転座面６が段差面状に形成されている。
本発明３の特徴は、手すり支持部材１の軸部５が基本的に均等断面の棒状体であり、突起も溝も設けられていないことである。但し、図８に示した実施例の場合、上記の実施例１に倣う形に軸部５の先端部外周に突起７を形成しているが、この点には技術的にさしたる意味がなく、付記的事項に過ぎない。
【００３８】
ベース部材２の基本形状も、上記実施例１〜３と同様であり、上記手すり支持部材１の軸部５を挿入するほぼ同径の軸孔８を備えている。この軸孔８を形成した主部９の低部両側に、図５の壁ｃ又は柱ｄ等の設置面へ全面一様に接する着座面１０を形成した取付け部１１が設けられ、この取付け部１１には前記着座面１０に向かって貫通するネジ誘導孔が設けられている構成には変わりない。
【００３９】
本発明３の特徴は、上記主部９の軸孔８は均等断面の単純孔でよく、突起も溝も設けられていないことである。但し、主部９には、前記軸孔８に向かって貫通するネジ孔３０が設けられ、これに止めネジ３１がねじ込まれる構成である。図８の実施例の場合、軸孔８には、上記手すり支持部材１の軸部５の突起７に対応する形に、同突起７を通過させる縦溝が段差面１７まで形成されているが、その図示は省略している。前記縦溝も、やはり付記的事項に過ぎない。
【００４０】
本実施例４の場合も、ベース部材２は、取付け部１１の着座面１０を例えば図５の壁ｃ又は柱ｄ等の設置面へ密着させ、ネジ誘導孔へ通した木ねじ等の固定具を前記設置面へねじ込むなどして固定する。手すり支持部材１は、その軸部５を前記ベース部材２の軸孔８へ差し込み、ソケット部３を手すり設置方向の角度に設置する。
本実施例の場合、手すり支持部材１の軸部５は、ベース部材２の軸孔８に対して、図８に示す許容ストローク範囲Ｓの限度に軸方向にスライドさせることができる。よって、着座面１０（又は設置面）からソケット部３の軸心までの距離を任意に出入り調整して、ソケット部３の出入り調整を確定した段階で、主部９のネジ孔３０へ止めネジ３１をねじ込み、軸部５を強固に固定して使用するのである。
【００４１】
なお、上記実施例４と同様に、上記発明１及び２の実施例１〜３に関しても、その主部９に、軸孔８に向かって貫通するネジ孔（３０）を設け、同軸孔８へ差し込まれた手すり支持部材１の軸部５のソケット部３を手すり設置方向の角度に設置した段階で、主部９のネジ孔へねじ込んだ止めネジ（３１）で固定する構成で実施することも好ましい（請求項５に記載した発明）。
【００４２】
以上に図示した実施例に基づいて本発明を説明したが、勿論、本発明は上記の各実施例の構成に限定されるものではない。本発明の要旨、及び技術思想を逸脱しないかぎり、当業者が必要に応じて行うであろう設計変更や応用の範囲で種々に実施されるものであることを念のため申し添える。
【図面の簡単な説明】
【００４３】
【図１】本発明の実施例１のブラケットを分解状態で示した斜視図である。
【図２】上記ブラケットの組合せ状態を示した斜視図である。
【図３】上記ブラケットの設置状態を一部破断して示した正面図である。
【図４】上記ブラケットのソケット部の回転範囲を示す平面図である。
【図５Ａ】上記ブラケットによる手すりの設置状態を示す斜視図である。
【図５Ｂ】上記ブラケットを固定する木ねじの方向性を示す拡大斜視図である。
【図５Ｃ】柱の側面に対するブラケットの設置状態を示す平面図である。
【図５Ｄ】壁に対するブラケットの設置状況を示す斜視図である。
【図６】本発明の実施例２のブラケットを分解状態で示した斜視図である。
【図７】本発明の実施例３のブラケットを一部破断し分解状態で示した斜視図である。
【図８】本発明の実施例４のブラケットの使用状態を一部破断して正面図である。
【符号の説明】
【００４４】
１    手すり支持部材
２    取付用のベース部材
ｂ    手すり材
３    ソケット部
５    軸部
６    回転座面
７    突起
８    軸孔
９    主部
ｃ    壁
ｄ    柱
１０  着座面
１１  取付け部
１２  ネジ誘導孔
１５  溝
１６  軸孔の上端面
１７  段差面
１４  木ねじ（固定具）
７’  突起
２０  環状溝
２１  軸部分（軸部の先側部分）
２２  縦溝
３０  ネジ孔
３１  止めネジ
ｅ    ソケット部の軸線
α    回転角
ｄ’  柱の露出側面
【図１】
2006089944.tif 000003
【図２】
2006089944.tif 000004
【図３】
2006089944.tif 000005
【図４】
2006089944.tif 000006
【図５Ａ】
2006089944.tif 000007
【図５Ｂ】
2006089944.tif 000008
【図５Ｃ】
2006089944.tif 000009
【図５Ｄ】
2006089944.tif 000010
【図６】
2006089944.tif 000011
【図７】
2006089944.tif 000012
【図８】
2006089944.tif 000013